(57)【要約】【課題】ゴルフバッグ２０に対する取付け及び取外しが簡単で、取付けられた時の安定性にも優れ、しかもゴルフバッグ２０の口枠の大きさが異っても十分対応することのできるアイキャッチポップを簡単な構造によって提供すること。【解決手段】ゴルフバッグ２０の口枠上縁上２１に載置されることになる帯状の載置部と、この載置部１１からゴルフバッグ２０の前面側に下げられるアイキャッチ部１２と、載置部１１からゴルフバッグ２０の口枠内面に所定間隔をおいて下げられて、アイキャッチ部１２とともにゴルフバッグ２０の口枠上縁２１を挟むことになる左右の挟み部と、これらの挟み部のいずれか一方に形成した止め片と、他方の挟み部に形成されて止め片が挿入されて止められる止め穴とを備えたこと。【選択図】図１
2004037869.tif 000002
【特許請求の範囲】
【請求項１】
ゴルフバッグに取付けられて、その価格やキャッチフレーズ等の表示を行うためのアイキャッチポップであって、
前記ゴルフバッグの口枠上縁上に載置されることになる帯状の載置部と、この載置部から前記ゴルフバッグの前面側に下げられるアイキャッチ部と、前記載置部から前記ゴルフバッグの口枠内面に所定間隔をおいて下げられて、前記アイキャッチ部とともにゴルフバッグの口枠上縁を挟むことになる左右の挟み部と、これらの挟み部のいずれか一方に形成した止め片と、他方の挟み部に形成されて前記止め片が挿入されて止められる止め穴とを備えたことを特徴とするゴルフバッグ用のアイキャッチポップ。
【請求項２】
前記止め片の、上縁または下縁の少なくともいずれか一方に、前記止め穴に係合して止め位置を固定する係止片を一体的に形成したことを特徴とする請求項１に記載のアイキャッチポップ。
【発明の詳細な説明】
【０００１】
【産業上の利用分野】
本発明は、商品のキャッチフレーズ等を商品に仮りに付すために使用されるアイキャッチポップに関し、特に商品としてゴルフバッグを対象にしたアイキャッチポップに関するものである。
【０００２】
【従来の技術】
店頭に陳列された商品は、その価格や特徴、あるいは特典等を目立つように表示することによって、他の同類商品にはない特徴を訴えるようになされることがある。その方法としては、商品の近くにポスターを掲示することもあるが、最も直接的で効果的と思われるのが、本発明が対象としているアイキャッチポップである。
【０００３】
アイキャッチポップは、その商品に直接取付けて、その商品の特徴を店内に入ってきた人の目に訴えるようにするものであり、その商品の直接的な吟味をしてもらうきっかけを作るものである。このようなアイキャッチポップは、これを取付けた商品を売るためのものであるから、それ程複雑なものであってはならないし、商品に対する取付け作業も簡単でなければならない。
【０００４】
このようなアイキャッチポップの従来のものは、図４及び図５に示したものが知られている。図４に示したアイキャッチポップは、商品であるゴルフバッグ２０の口枠上縁２１に設けてあるつり環２２を利用するようにしたものであり、このつり環２２内に差し込んでアイキャッチポップ全体をゴルフバッグ２０に取付ける差込部を有しているものである。そして、この図４のアイキャッチポップは、その差込部と一体的で目に訴えるアイキャッチ部を有していて、このアイキャッチ部はゴルフバッグ２０の前面側に垂れ下げた状態にされるものである。
【０００５】
この図４に示したアイキャッチポップは、その差込部をゴルフバッグ２０側のつり環２２内に差し込んで、これから簡単には抜けないようにするという作業が必要なため、商品の陳列時は勿論、前の商品が売れて次の商品を展示する時にその作業を繰り返さなければならず、客応待もしなければならない店員の大きな負担となっている。それだけでなく、アイキャッチ部はゴルフバッグ２０の口枠前面に不安定な状態に垂れ下がっているため、少しの力で差込部のつり環２２からの外れが発生し易く、また、アイキャッチ部と差込部とは細い部分でつながっているだけであるから少しの力で破損し易いものとなっている。
【０００６】
図５に示したアイキャッチポップは、ゴルフバッグ２０の口枠内に挿入しておくものであり、図４に示したもののようなつり環２２に対する差込作業は不要で、破損し易いということもないが、ゴルフバッグ２０の口枠上に大きく突出するものであるため、その分の陳列スペースを必要としているものである。一般に、商品の陳列は、限られた店舗スペースでできるだけ多くの陳列を行わなければならないが、この図５に示したようなアイキャッチポップであると、店舗スペースを無駄に使用することになるだけでなく、このアイキャッチポップがあるがため、当該ゴルフバッグ２０が陳列棚の棚板間に入らないといった問題も生じ得る。
【０００７】
特に、この図５に示した従来のアイキャッチポップは、対象商品であるゴルフバッグ２０の口枠の大きさが異なった場合には、それ用のものを用意しなければならない。何故なら、このアイキャッチポップは、口枠内に挿入して立てて使用するものであるから、それが確実となる口枠の大きさは自ずと限定されるのであり、逆に口枠の大きさが異なれば、当該アイキャッチポップの大きさも変えなければならないからである。
【０００８】
そこで、本発明者は、この種アイキャッチポップにおける上述した問題を解決するにはどうしたらよいか、について種々検討を重ねてきた結果、本発明を完成したのである。
【０００９】
【発明が解決しようとする課題】
本発明は、この種のアイキャッチポップにおける上述した実状に鑑みてなされたもので、その解決しようとする課題は、ゴルフバッグ２０に対する取付け及び取外しが簡単で、取付けられた時の安定性にも優れ、しかもゴルフバッグ２０の口枠の大きさが異っても十分対応することのできるアイキャッチポップを簡単な構造によって提供することにある。
【００１０】
【課題を解決するための手段】
以上の課題を解決するために、まず請求項１に係る発明の採った手段は、後述する実施の形態の説明中において使用する符号を付して説明すると、
「ゴルフバッグ２０に取付けられて、その価格やキャッチフレーズ等の表示を行うためのアイキャッチポップ１０であって、
ゴルフバッグ２０の口枠上縁上２１に載置されることになる帯状の載置部と、この載置部１１からゴルフバッグ２０の前面側に下げられるアイキャッチ部１２と、載置部１１からゴルフバッグ２０の口枠内面に所定間隔をおいて下げられて、アイキャッチ部１２とともにゴルフバッグ２０の口枠上縁２１を挟むことになる左右の挟み部１３と、これらの挟み部１３のいずれか一方に形成した止め片１４と、他方の挟み部１３に形成されて止め片１４が挿入されて止められる止め穴１５とを備えたことを特徴とするゴルフバッグ２０用のアイキャッチポップ１０」
である。
【００１１】
すなわち、この請求項１に係るアイキャッチポップ１０は、図３に示すような紙等のシート材から形成されるものであっても、図１及び図２に示すように、その載置部１１にてゴルフバッグ２０の口枠上縁２１上に支持されることにより、そのアイキャッチ部１２をゴルフバッグ２０の上部前面外側に沿ったものとすることができるものであり、またゴルフバッグ２０の口枠上縁２１自体を、このアイキャッチ部１２と内側の挟み部１３とにより挟むことになるものである。
【００１２】
つまり、この請求項１に係るアイキャッチポップ１０は、ゴルフバッグ２０の口枠上縁２１に上から被せることだけで当該ゴルフバッグ２０への取付けが完了するものであり、その場合、口枠上縁２１の大きさが異なっていても、図２に示すように止め片１４の止め穴１５内に対する挿入量を調整することにより簡単に合わせることができるものである。
【００１３】
特に、このアイキャッチポップ１０は、図１及び図２に示すように、ゴルフバッグ２０の口枠上縁２１に取り付けたとき、当該アイキャッチポップ１０自体を構成する紙等のシート材の可撓性とも相まって、アイキャッチ部１２自体がゴルフバッグ２０の表面に沿って曲がるとともに、内側では左右の挟み部１３が、図２に示すように、互いに近接し合うことになり、全体としてゴルフバッグ２０の口枠上縁２１の形状に沿ったものとなるのである。
【００１４】
以上のように、このアイキャッチポップ１０は、ゴルフバッグ２０の口枠上縁２１を挟むようにして上方から嵌合することにより、そのアイキャッチ部１２をゴルフバッグ２０の上部前面に沿わせることができるから、アイキャッチ部１２上の表示１２ａを目立つようにすることができて、しかも別のものに接触しにくくすることができるものとなっている。
【００１５】
このため、ゴルフバッグ２０の口枠上縁２１に対する嵌合形式ともあいまって、このアイキャッチポップ１０は、他からの衝撃に対しても、折れ曲がりにくく、破損しにくいものとなっているのである。
【００１６】
このように、この請求項１のアイキャッチポップ１０は、ゴルフバッグ２０の口枠上縁２１に上方から嵌合するものであり、しかもその載置部１１が口枠上縁２１上に載るのであるから、当該アイキャッチポップ１０のためのスペースは殆ど不要となっている。このため、ゴルフバッグ２０の高さ等の大きさギリギリしかない陳列棚においても、このアイキャッチポップ１０を付けたゴルフバッグ２０の展示が行えるのである。
【００１７】
また、このアイキャッチポップ１０は、上記形式のものであるから、店内での取り付け作業が簡単であるだけでなく、工場出荷の際に取付けて固定しておいても曲がりや破損を防止することも可能であり、店内での取り付け作業を行わなくてもよいようにすることも可能なのである。
【００１８】
従って、この請求項１に係るアイキャッチポップ１０は、ゴルフバッグ２０に対する取付け等の作業が簡単に行え、取付け後の外れや破損も防止でき、さらに、ゴルフバッグ２０の口枠の大きさが異っていても止め片１４によって簡単に調整できる汎用性に優れたものとなっているのである。
【００１９】
上記課題を解決するために、請求項２に係る発明の採った手段は、上記請求項１のアイキャッチポップ１０について、
「止め片１４の、上縁または下縁の少なくともいずれか一方に、止め穴１５に係合して止め位置を固定する係止片１４ａを一体的に形成したこと」
である。
【００２０】
すなわち、この請求項２に係るアイキャッチポップ１０は、図２に示すように、その止め片１４に複数の係止片１４ａを形成したものであり、これらの係止片１４ａの内の適宜なものを選択して止め穴１５に対する係止を行うことにより、全体の湾曲度、つまりゴルフバッグ２０の口枠上縁２１の大きさに合わせた形状にするのを、簡単かつ確実に行えるものとなっているのである。
【００２１】
係止片１４ａは、図３に示すような形状のもの、つまりノコギリの刃のような形状にするのが最も簡単であり、しかも、切れ込みである止め穴１５に対する選択的係止を確実に行えることから有利である。
【００２２】
また、この係止片１４ａは止め片１４の上下両辺に形成してもよく、嵌合したときに下方になる側の部分だけに形成してもよいが、図３に示したような口枠上縁２１側となる部分（取り付けたときに上側となる部分）に形成するのが最も有利である。
【００２３】
何故なら、当該アイキャッチポップ１０を口枠上縁２１に嵌合したとき、各止め片１４は、それ自身、及び載置部１１と区画している折り線１６部分での可撓性によって広がろうとするから、この力を有効に利用できるからである。つまり、各係止片１４ａは、これを止め片１４の上側となる部分に形成しておけば、止め片１４自体の広がろうとする力によって、止め穴１５の上側端部にしっかりと係止されることになるのである。
【００２４】
換言すれば、各止め片１４自身と折り線１６部分での可撓性によって広がろうとする力を利用することができるから、止め穴１５を止め片１４よりも大きく形成しておいても、各係止片１４ａの止め穴１５との係止を確実に行えるだけでなく、止め穴１５を止め片１４よりも大きく形成しておくことによって、止め片１４の止め穴１５に対する挿入操作をより簡単にすることもできるのである。
【００２５】
従って、この請求項２のアイキャッチポップ１０は、上記請求項１のそれと同様な機能を発揮する他、止め片１４の止め穴１５に対する係止を確実かつ簡単に行えて、その機能がより充実したものとなているのである。
【００２６】
【発明の実施の形態】
次に、以上のように構成した各請求項に係る発明を、図１〜図３に示した実施の形態であるアイキャッチポップ１０について説明するが、この実施形態のアイキャッチポップ１０は上記各発明の全てを含むものである。
【００２７】
このアイキャッチポップ１０は、図１及び図２に示したようにして使用されるものであるが、図３に示したようなものとして、紙等のシート材から切り出されるものである。この切り出しを行うにあたって、図３中で示した折り線１６がエンボス加工等によって予め形成されるものであり、これらの各折り線１６によって、ゴルフバッグの口枠上縁上に載置されることになる帯状の載置部１１と、この載置部１１からゴルフバッグ２０の前面側に下げられるアイキャッチ部１２と、載置部１１からゴルフバッグ２０の口枠内面に所定間隔をおいて下げられて、アイキャッチ部１２とともにゴルフバッグ２０の口枠上縁２１を挟むことになる左右の挟み部１３と、これらの挟み部１３のいずれか一方に形成した止め片１４と、他方の挟み部１３に形成されて止め片１４が挿入されて止められる止め穴１５がそれぞれ区画されるのである。
【００２８】
載置部１１は、図１に示したように、ゴルフバッグ２０の口枠上縁２１上に載置できる程度の幅を有するものであり、この載置部１１からゴルフバッグ２０の前面に垂れ下がることになるアイキャッチ部１２には、当然のことながら、価格やキャッチフレーズ等の表示１２ａがなされている。この表示１２ａは、当該アイキャッチポップ１０を、ゴルフバッグ２０の口枠上縁２１に嵌合したときに、図１に示したように、ゴルフバッグ２０の上部前面にて大きく目を引くものとなっているのである。
【００２９】
一方、アイキャッチ部１２の反対側となる載置部１１の辺には、図２及び図３に示したように、挟み部１３が一体的に形成してあるが、この挟み部１３は、本実施形態の場合、左右一対のものとしてある。そして、一方の挟み部１３には、一辺に少なくとも一個の係止片１４ａを形成した止め片１４が一体的に形成してあり、他方の挟み部１３には、止め片１４が挿入される切り込みである止め穴１５が形成してある。
【００３０】
この止め片１４は、止め穴１５内に挿入して、各係止片１４ａにより止め穴１５の端部に係合させることにより、図１及び図２に示したように、当該アイキャッチポップ１０をゴルフバッグ２０の口枠上縁２１上から嵌合できる形状のものとするものである。そして、止め穴１５に係合する係止片１４ａを選択することにより、当該アイキャッチポップ１０の湾曲状態をゴルフバッグ２０の口枠上縁２１の大きさに合ったものとすることができるものである。
【００３１】
【発明の効果】
以上、詳述した通り、まず、請求項１に係る発明においては、上記実施形態にて例示した如く、
「ゴルフバッグ２０に取付けられて、その価格やキャッチフレーズ等の表示を行うためのアイキャッチポップ１０であって、
ゴルフバッグ２０の口枠上縁上２１に載置されることになる帯状の載置部と、この載置部１１からゴルフバッグ２０の前面側に下げられるアイキャッチ部１２と、載置部１１からゴルフバッグ２０の口枠内面に所定間隔をおいて下げられて、アイキャッチ部１２とともにゴルフバッグ２０の口枠上縁２１を挟むことになる左右の挟み部１３と、これらの挟み部１３のいずれか一方に形成した止め片１４と、他方の挟み部１３に形成されて止め片１４が挿入されて止められる止め穴１５とを備えたこと」
にその構成上の特徴があり、これにより、ゴルフバッグ２０に対する取付け及び取外しが簡単で、取付けられた時の安定性にも優れ、しかもゴルフバッグ２０の口枠の大きさが異っても十分対応することのできるアイキャッチポップ１０を簡単な構造によって提供することができるのである。
【００３２】
また、請求項２に係る発明においては、上記請求項１のアイキャッチポップ１０について、
「止め片１４の、上縁または下縁の少なくともいずれか一方に、止め穴１５に係合して止め位置を固定する係止片１４ａを一体的に形成したこと」
にその構成上の特徴があり、これにより、上記請求項１のアイキャッチポップ１０と同様な効果を発揮することができる他、止め片１４の止め穴１５に対する止めを、各係止片１４ａによって確実かつ簡単に行えるアイキャッチポップ１０とすることができるのである。
【図面の簡単な説明】
【図１】本発明に係るアイキャッチポップを取付けたゴルフバッグの口枠上縁近傍を示す部分斜視図である。
【図２】ゴルフバッグの口枠上縁に嵌合したアイキャッチポップを、ゴルフバッグの内側からみた状態の拡大背面図である。
【図３】同アイキャッチポップを展開したときの平面図である。
【図４】従来のアイキャッチポップを使用した状態のアイキャッチポップの部分斜視図である。
【図５】従来の他のアイキャッチポップを使用した状態のアイキャッチポップの部分斜視図である。
【符号の説明】
１０　　アイキャッチポップ
１１　　　　載置部
１２　　　　アイキャッチ部
１２ａ　　表示
１３　　　　挟み部
１３ａ　　切除部
１４　　　　止め片
１４ａ　　係止片
１５　　　　止め穴
１６　　　　折り線
２０　　　　ゴルフバッグ
２１　　　　口枠上縁
２２　　つり環
【図１】
2004037869.tif 000003
【図２】
2004037869.tif 000004
【図３】
2004037869.tif 000005
【図４】
2004037869.tif 000006
【図５】
2004037869.tif 000007